(57)【要約】【解決手段】機体１１に搭載した充電可能なバッテリ２６と、このバッテリ２６の充電管理をするとともに機体１１の動作を制御する制御部２４と、これらの制御部２４及びバッテリ２６を覆うカバー部材１７と、制御部２４及びバッテリ２６を接続する若しくは切離す電源キー４１と、この電源キーを差込むためにカバー部材１７に設けた差込み口４２と、を備えた電動作業機１０において、差込み口４２に、カバー部材１７に開閉自在に取付けた蓋部材８３を備えた。【効果】差込み口に、カバー部材に開閉自在に取付けた蓋部材を備えたので、電源キーを取去ったときに差込み口を蓋部材で覆うことができる。この結果、差込み口にゴミやほこりの侵入を防止することができ、電動作業機を良好な状態で保管することができる。【選択図】        図８
2004357573.tif 000002
【特許請求の範囲】
【請求項１】
機体に搭載した充電可能なバッテリと、このバッテリの充電管理をするとともに機体の動作を制御する制御部と、これらの制御部及びバッテリを覆うカバー部材と、前記制御部及びバッテリを接続する若しくは切離す電源キーと、この電源キーを差込むために前記カバー部材に設けた差込み口と、を備えた電動作業機において、
前記差込み口は、前記カバー部材に開閉自在に取付けた蓋部材を備えたことを特徴とする電動作業機の電源キー差込み口構造。
【請求項２】
前記蓋部材は、前記電源キーを保持若しくは格納できる格納部を備えたことを特徴とする請求項１記載の電動作業機の電源キー差込み口構造。
【発明の詳細な説明】
【０００１】
【発明の属する技術分野】
本発明は電動作業機の電源キー差込み口構造の改良に関する。
【０００２】
【従来の技術】
電源キーを抜き差しすることで、運転状態に若しくは停止状態にする電動作業機が知られている（例えば、特許文献１参照。）。
【０００３】
【特許文献１】
特許第２８３７９６０号公報（第１２頁、第３図）
【０００４】
図１６は特許文献１の第３図の再掲図である。ただし、同公報に記載の符号を流用する。
特許文献１の電動作業機は、シャーシ（不図示）に電動モータ１８を搭載し、この電動モータ１８をハウジング５２及びシュラウド２５で覆うとともにハウジング５２の容器２４にバッテリーパック２２を収納し、このバッテリーパック２２の後方であってハウジング５２の上方に安全キー４８を抜き差しするようにしたものである。
【０００５】
【発明が解決しようとする課題】
作業終了若しくは停止に伴って、抜いた安全キー４８は、例えば、その時の作業者がポケット等に入れる。又は付近の適当な保管場所へ保管することが考えられる。
この種の作業機では、一基の作業機を複数の作業者が交代で運転することが珍しくはなく、作業者が持ち帰ったのでは次の作業者に支障をきたす。そこで、所定の保管場所へ保管するほうが便利である。
しかし、作業機は屋外で使用することが多く、屋外には適当な保管場所が定まらず、安全キー４８の所在が不明になりやすい。
【０００６】
すなわち、上記の電動作業機では、運転状態から停止状態にして安全キー４８を機体から抜いたときに、安全キー４８の保管場所を忘れたり、安全キー４８を紛失する虞れがある。
また、上記の電動作業機では、ハウジング５２側に設ける安全キー４８の差込み口にゴミやほこりが入り込むことがある。
そこで、電動作業機の停止状態のときに、安全キー４８（以下、「電源キー」と呼ぶ）の紛失することを防止することや、電源キーの差込み口にゴミやほこりが入り込むことを防止できる技術が望まれる。
【０００７】
本発明の目的は、電源キーの紛失防止を図ることができるとともに電源キーの差込み口にゴミやほこりが入り込むことを防止することができる電動作業機の電源キー差込み口構造を提供することにある。
【０００８】
【課題を解決するための手段】
上記目的を達成するために請求項１の電動作業機の電源キー差込み口構造は、機体に搭載した充電可能なバッテリと、このバッテリの充電管理をするとともに機体の動作を制御する制御部と、これらの制御部及びバッテリを覆うカバー部材と、制御部及びバッテリを接続する若しくは切離す電源キーと、この電源キーを差込むためにカバー部材に設けた差込み口と、を備えた電動作業機において、差込み口は、カバー部材に開閉自在に取付けた蓋部材を備えたことを特徴とする。
【０００９】
例えば、電動作業機を保管するときに、電源キーの差込み口にゴミやほこりの侵入を防止できるようにすることは、電動作業機を良好な状態で保管する上で大切なことである。そこで、カバー部材に開閉自在に取付けた蓋部材を備えた。
差込み口に、カバー部材に開閉自在に取付けた蓋部材を備えることで、電源キーを取去ったときに差込み口を蓋部材で覆うことができる。この結果、差込み口にゴミやほこりの侵入を防止することができ、電動作業機を良好な状態で保管することができる。
【００１０】
請求項２は、蓋部材に、電源キーを保持若しくは格納できる格納部を備えたことを特徴とする。
【００１１】
例えば、電動作業機の保管時に電源キーの保管場所を忘れたり、電源キーを誤って紛失することの防止を図ることができるとすれば好ましいことである。そこで、蓋部材に、電源キーを保持若しくは格納できる格納部を備えた。
すなわち、蓋部材に、電源キーを保持若しくは格納できる格納部を備えりことで、電動作業機の保管時に電源キーの保管場所を忘れたり、電源キーを誤って紛失することの防止を図ることができる。
【００１２】
【発明の実施の形態】
本発明の実施の形態を添付図に基づいて以下に説明する。なお、「前」、「後」、「左」、「右」、「上」、「下」は作業者から見た方向に従い、Ｆｒは前側、Ｒｒは後側、Ｌは左側、Ｒは右側を示す。また、図面は符号の向きに見るものとする。
【００１３】
図１は本発明に係る電源キー差込み口構造を採用した電動作業機の斜視図であり、図中、１０は電動作業機としての電動芝刈機、１１は機体、１２は前輪、１３は後輪、１４はグラスバッグ、１５はグラスカバー、１６はハンドル、１７はカバー部材、２１はカッタハウジング、２８は操作機構、４１は電源をＯＮ／ＯＦＦするための電源キー、４２は電源キー４１を抜き差しする差込み口、７３は操作レバー、７４はクラッチ機構を示す。
【００１４】
カバー部材１７は、後述するように、メインカバー２７及差込み口カバー８１とから構成する部材であり、本発明に係る電動作業機の電源キー差込み口構造８０（以下、「電源キー差込み口構造８０」と略記する）は、差込み口４２に、差込み口カバー８１に開閉自在に取付けた蓋部材８３でを備えることで、電源キーを取去ったときに、差込み口４２を蓋部材８３で覆うことができるようにしたものである。
【００１５】
図２は図１の２矢視図であり、電動芝刈機１０の側面を示す。
電動芝刈機１０は、機体１１に電源キー４１を抜き差しすることで電動モータ２２をオン・オフ制御し、この電動モータ２２でカッタハウジング２１内のカッタブレード２３を回すことで芝草を刈り、カッタハウジング２１内のスクロール部３１から機体１１後方に刈り芝を送り、この刈り芝をグラスバッグ１４で収集するリヤディスチャージ式の電動芝刈機である。
【００１６】
図３は図１の３矢視図であり、電動芝刈機１０の側面を示す。
電動芝刈機１０は、差込み口４２に電源キー４１を差込み、図１に示す操作機構２８で電動モータ２２をＯＮにし、この電動モータ２２で矢印ａの如くカッタブレード２３を回転させ、このカッタブレード２３で芝を刈り、カッタブレード２３の回転で発生する渦流で刈り芝をカッタハウジング２１のスクロール部３１から矢印ｂの如くグラスバック１４に送り込む。
【００１７】
すなわち、電動芝刈機１０は、機体１１に電源キー４１を差すことで電動モータ２２をオンし、機体１１に電源キー４１を抜くことで電動モータ２２をオフし、この電動モータ２２でカッタハウジング２１内のカッタブレード２３を回すことで芝草を刈り、カッタハウジング２１内のスクロール部３１から機体１１後方に刈り芝を送り、この刈り芝をグラスバッグ１４で収集する方式の電動芝刈機であることを示す。
以下、電動芝刈機１０の主要構成部品を詳細に説明する。
【００１８】
図４は本発明に係る電源キー差込み口構造を採用した電動作業機の分解斜視図であり、電動芝刈機１０の主要構成部品を示す。
電動芝刈機１０は、カッタハウジング２１と、このカッタハウジング２１に取付ける電動モータ２２と、この電動モータ２２のモータ軸２２ａに取付けるカッタブレード２３と、電動モータ２２の上部に配置する制御部２４と、これらの電動モータ２２及び制御部２４の上からカッタハウジング２１に取付けるバッテリブラケット２５と、このブラケット２５に載置するバッテリ２６と、これらの電動モータ２２、制御部２４、バッテリブラケット２５及びバッテリ２６を一括して覆うカバー部材１７と、電動モータ２２をＯＮ／ＯＦＦ制御する操作機構２８と、からなる。
なお、バッテリブラケット２５は、電動モータ２２をカッタハウジング２１に取付けるときに共締め固定するようにした。
【００１９】
カッタハウジング２１は、本体部２１ａに電動モータ２２を取付けるための開口２１ｂを形成し、本体部２１ａに電動モータ２２を固定するためのボス２１ｃ・・・（・・・は複数個を示す。以下同じ）を形成し、本体部２１ａ内にカッタブレード２３の回転を許容するとともに刈り芝を機体１１（図３参照）後方のグラスバッグ１４に搬送するスクロール部３１を形成したものである。
また、電動モータ２２を、カッタハウジング２１のボス２１ｃ・・・に取付けることでカッタハウジング２１の内外に連通する連通穴３２・・・（１個のみ示す）を形成する。
【００２０】
制御部２４は、コントロールケース３４と、このコントロールケース３４に収納した制御基板３５とから構成するもので、この制御基板３５に電動モータ２２を制御するために操作機構２８の構成部品である非接触式リードスイッチ３６を接続し、電動芝刈機１０が作業可能であることを作業者に知らせるために常時点灯させる表示灯３７を接続し、機体１１の走行や各種の作業時に常時鳴り続けるブザー３８を接続したものである。また、電源をＯＮにするための電源キー４１を備え、この電源キー４１を差込む差込み部（中継部材）４２を備える。
なお、この差込み部４２は、コネクタであって後述するようにバッテリ２６を充電するための接続部分をも兼ねる。
【００２１】
バッテリブラケット２５は、金属製の素材で形成したものであって、電動モータ２２の側方及び上部を覆う本体部２５ａと、この本体部２５ａから延ばした延出部２５ｂと、差込み口４２を取付けるための前記取付けブラケット２９とからなり、カッタハウジング２１に電動モータ２２と共に固定するようにしたものである。
また、２５ｃ，２５ｄは、本体部２５ａに形成した通風のための開口、２５ｅは、延出部２５ｂに形成した通風のための開口である。
【００２２】
前述したように、電動芝刈機１０は、カッタハウジング２１に、バッテリブラケット２５及び電動モータ２２とを共締め固定したものであると言える。
すなわち、カッタハウジング２１に、バッテリブラケット２５及び電動モータ２２とを共締めすることで、電動芝刈機１０の組立性の向上を図ることができる。
【００２３】
バッテリ２６は、ニケッル・カドニューム系のバッテリであって、前バッテリ４３、第１・第２上バッテリ４４，４５とから構成したものである。
前バッテリ４３は、定格電圧１．２Ｖのセル４６・・・を複数個組合せたものであって、バッテリブラケット２５の延出部２５ｂに縦置きに配置した。
第１・第２上バッテリ４４，４５は、前バッテリ４３と同様に、定格電圧１．２Ｖのセル４６・・・を複数個組合せたものであって、バッテリブラケット２５の本体部２５ａに横置きに配置した。
【００２４】
バッテリ２６は、高性能バッテリが好ましく、ニケッル・カドニューム系のバッテリの他に、その他のニッケル系又はリチューム系のバッテリを用いてもよい。
一般的に、ニッケル系又はリチューム系のバッテリは充電時の温度管理が容易であることが知られる。そこで、バッテリをニッケル系又はリチューム系のバッテリにすることで、充電作業の作業性の向上を図ることができる。
【００２５】
カバー部材１７は、、電動モータ２２及びバッテリ２６を一括して覆うメインカバー２７と、差込み口４２廻りを囲う差込み口カバー８１と、からなる。
メインカバー２７は、樹脂で形成した部材であり、前方下部にルーバ４７を備えたカバーであって、後方に通風孔２７ａ・・・を形成し、左側方に差込み口カバー８１を開放する逃げ部２７ｂを形成したものである。また、ルーバ４７は、空気の流通を図る開放口４７ａ・・・を形成した。
【００２６】
差込み口カバー８１は、カバー本体８２と、このカバー本体８２に開閉自在に取付けた蓋部材８３と、からなる。なお、差込み口カバー８１は、ねじ止め若しくはファスナ止めにより、取付けブラケット２９側に固定する部材である（ねじ及びファスナは不図示）。
【００２７】
カバー本体８２は、差込み口４２に電源キー４１を挿入するための開口８４と、蓋部材８３を開閉自在に支持する支持部８５，８５（一方不図示）と、を備える。
蓋部材８３は、本体８６と、この本体８６に形成することで支持部８５，８５に嵌合させる支軸８７，８７（一方不図示）と、本体８６に形成することで電源キー４１を保持・格納する格納部８８と、からなる。
【００２８】
なお、カバー本体８２側の支持部８５，８５及び蓋部材８３側の支軸８７，８７でヒンジ（上ヒンジ）８９を構成し、このヒンジ８９にて蓋部材８３をカバー本体８２に開閉自在に取付け、蓋部材８３を上方に跳ね上げることができるようにするるとともに、ヒンジ８９のフリクションで所定の位置に保持させるようにしたものである。
【００２９】
格納部８８は、凹形状の部分であるとともに電源キー４１の嵌合部４１ｂ外形とほぼ同じ大きさに形成した部分であり、蓋部材８３を弾性変形可能な材料で形成することで、電源キー４１の嵌合部４１ｂを格納部８８に差入れときに格納部８８の弾性変形作用で電源キー４１を保持・格納することができる。
【００３０】
図５は図１の５−５線断面図であり、電動芝刈機１０の側面断面を示す。
電動芝刈機１０は、カッタブレード２３をカッタハウジング２１で囲い、このカッタハウジング２１上部に電動モータ２２を取付け、この電動モータ２２を充電可能なバッテリ２６で駆動する電動芝刈機において、バッテリ２６を、電動モータ２２の上に配置した第１・第２上バッテリ４４，４５と、電動モータ２２の前に配置した前バッテリ４３とから構成したものであると言える。
【００３１】
すなわち、バッテリ２６を、電動モータ２２の上に配置した第１・第２上バッテリ４４，４５と、電動モータ２２の前に配置した前バッテリ４３とから構成することで、電動芝刈機１０の重量バランスの確保を図ることができる。この結果、電動芝刈機１０の操作性の向上を図ることができる。
【００３２】
また、電動芝刈機１０は、機体１１に充電可能なバッテリ２６を搭載し、このバッテリ２６で電動モータ２２を回転させ、この電動モータ２２でカッタハウジング２１内のカッタブレード２３を回転させる電動芝刈機において、電動モータ２２及びバッテリ２６を一括して覆うメインカバー２７を備え、このメインカバー２７は、側面視において機体１１の前方から後方に上り勾配に形成するとともに前方下部に開放口４７ａを形成し、且つ後方に通風孔２７ａを形成することで開放口４７ａから通風孔２７ａに通風させることでバッテリ２６若しくは電動モータ２２を冷却するようにした構造であるとも言える。
【００３３】
電動モータ２２及びバッテリ２６を一括して覆うメインカバー２７を、側面視において機体１１の前方から後方に上り勾配に形成し、メインカバー２７の前方下部に開放口４７ａを形成し、且つ後方に通風孔２７ａを形成する。開放口４７ａから通風孔２７ａに通風することでバッテリ２６若しくは電動モータ２２を冷却する。これにより、バッテリ２６若しくは電動モータ２２を過度に発熱させることを防止し、電動芝刈機１０を長時間の連続使用にも耐え得るようにすることができる。
【００３４】
図６は図１の６−６線断面図であり、電動芝刈機１０のカバー部材１７（図５参照）を取外した状態の芝刈機を示す。
電動芝刈機１０は、カッタハウジング２１に、電動モータ２２の側方及び上部を覆う本体部２５ａを有するとともに電動モータ２２の両側から前方に延ばした延出部２５ｂを有するバッテリブラケット２５を取付け、このブラケット２５の本体部２５ａに第１・第２上バッテリ４４，４５を搭載し、延出部２５ｂに前バッテリ４３を分散して搭載したものであるとも言える。
【００３５】
すなわち、バッテリブラケット２５の本体部２５ａに第１・第２上バッテリ４４，４５を搭載し、バッテリブラケット２５の延出部２５ｂに前バッテリ２５ｂを分散して搭載したので、前バッテリ４３、第１・第２上バッテリ４４，４５や電動モータ２２の間に空気が流通しやすくすることができる。この結果、前バッテリ４３、第１・第２上バッテリ４４，４５や電動モータ２２の放熱の促進を図ることができる。
【００３６】
電動芝刈機１０は、バッテリブラケット２５を金属製とするとともにバッテリブラケット２５のバッテリ４３，４４，４５搭載位置に通風のための開口２５ｃ，２５ｄ，２５ｅを設けたものであるとも言える。
バッテリブラケット２５を金属製とするとともにバッテリブラケット２５のバッテリ４３，４４，４５搭載位置に通風のための開口２５ｃ，２５ｄ，２５ｅを設けることで、電動モータ２２やバッテリ４３，４４，４５のさらなる放熱の促進を図ることができる。
【００３７】
なお、前バッテリ４３及び第１・第２上バッテリ４４，４５は、バッテリブラケット２５にそれぞれ弾性ベルト４９ａ，４９ｂ，４９ｃで固定したことを示す。
【００３８】
図７は本発明に係る電動作業機の電源キー差込み口構造の正面断面図であり、電源キー差込み口構造８０は、機体１１（図５参照）に搭載した充電可能なバッテリ２６と、このバッテリ２６の充電管理をするとともに機体１１の動作を制御する制御部２４と、これらの制御部２４及びバッテリ２６を覆うカバー部材１７と、制御部２４及びバッテリ２６を接続する若しくは切離す電源キー４１と、この電源キーを差込むためにカバー部材１７（差込み口カバー８３）に設けた差込み口４２と、を備えた電動作業機１０において、差込み口４２は、カバー部材１７に開閉自在に取付けた蓋部材８３を備えたものであると言える。
【００３９】
例えば、電動作業機を保管するときに、電源キーの差込み口にゴミやほこりの侵入を防止できるようにすることは、電動作業機を良好な状態で保管する上で大切なことである。
【００４０】
そこで、カバー部材１７（差込み口カバー８１）に開閉自在に取付けた蓋部材８３を備えた。差込み口４２に、カバー部材１７に開閉自在に取付けた蓋部材８３を備えることで、電源キー４１を取去ったときに差込み口４２を蓋部材８３で覆うことができる。
この結果、差込み口４２にゴミやほこりの侵入を防止することができ、電動作業機１０を良好な状態で保管することができる。
【００４１】
また、ヒンジ（上ヒンジ）８９で蓋部材８３を機体１１（図１参照）上方に跳ね上げるとともに、ヒンジ８９のフリクションで所定の位置に保持するようにしたので、さらに、電源キー４１を差込むことで不測の事態にも蓋部材８３が下降（おじぎ）することはない。この結果、差込み口カバー８１（カバー本体８２及び蓋部材８３）を簡易に製作することができる。
【００４２】
次に、電源キー差込み口構造８０の作用を説明する。
図８（ａ），（ｂ）本発明に係る電動作業機の電源キー差込み口構造の作用説明図であり、（ａ）は使用中の電動芝刈機１０（図５参照）の電源キー４１の状態を示し、（ｂ）は保管中の電動芝刈機１０の電源キー４１の状態を示す。
（ａ）において、差込み口４２から蓋部材８３を矢印ａ１の如く跳ね上げた状態で電源キー４１を差込み口４２に矢印ａ２の如く差すことで、電動芝刈機１０を使用状態にする。
【００４３】
蓋部材８３を電源キー４１の上方に跳ね上げるようにしたので、電源キー４１廻りに雨などがかかるのを防止することができる。また、蓋部材８３を電源キー４１の上方に跳ね上げるようにしたので、芝刈り作業の邪魔にならることはない。この結果、芝刈機１０の作業性を確保することができる。
【００４４】
（ｂ）において、予め、差込み口４２から電源キー４１を抜く。その上で、差込み口４２に蓋部材８３を矢印ｂ１の如く降ろし、蓋部材８３の格納部８８に電源キー４２を矢印ｂ２の如く保持・格納する。
【００４５】
例えば、電動作業機の保管時に電源キーの保管場所を忘れたり、電源キーを誤って紛失することの防止を図ることができるとすれば好ましいことである。
【００４６】
そこで、蓋部材８３に、電源キー４１を保持若しくは格納できる格納部８８を備えた。すなわち、蓋部材８３に、電源キー４１を保持若しくは格納できる格納部８８を備えりことで、電動作業機１０（図５参照）の保管時に電源キー４１の保管場所を忘れたり、電源キー４１を誤って紛失することの防止を図ることができる。
【００４７】
また、蓋部材８３は、ヒンジ（上ヒンジ）８９を介してカバー本体８２に取付けたので、格納部８８に電源キー４１を保持・格納するときに安定した姿勢を維持することができる。この結果、電源キー４１を保持・格納の信頼性を向上させることができる。
【００４８】
図９は本発明に係る電源キー差込み口構造を採用した電動作業機の制御システム図であり、制御システム５０は、電動モータ２２を制御する先に説明した制御部２４と、バッテリ２６の充電をするための充電器５１とから構成する。
【００４９】
制御部２４の回路構成は、過電流を遮断する過電流遮断回路５５と、電動芝刈機１０の作動をコントロールするコントロールブロック５６と、充電時にバッテリ２６温度を監視するサーミスタ５７と、サーミスタの情報に基づいて充電を停止するサーマルブレーカ５８とからなり、電源キー４１及び充電器５１の双方をコンパチブルに抜き差し可能な差込み口（中継部材）４２を備える。
【００５０】
制御部２４は、充電時にバッテリ２６温度をサーミスタ５７で監視する。すなわち、バッテリ２６の温度管理制御機能を有していることを示す。
制御部２４にバッテリの温度管理制御機能を持たせることで、充電時の信頼性の向上を図ることができる。この結果、バッテリ２６の寿命を延ばすことができる。
【００５１】
コントロールブロック５６は、電動モータ２２を制御するモータ制御回路６１と、表示灯３７を点灯させる点灯回路６２と、ブザー３８を駆動するブザー駆動回路６３と、からなる。なお、表示灯３７はＬＥＤ（発光ダイオード）である。
【００５２】
モータ制御回路６１は、電動モータ２２を制御する回路であって、電動モータ２２をＯＮ／ＯＦＦする操作機構２８（図４参照）の非接触式リードスイッチ３６を接続した。
【００５３】
差込み口（中継部材）４２は、６個の接続端子を設けたコネクタであって、正極端子としての１番端子Ｃ１（本図ではＣ１を単に「１」と表示する。以下同じ）に過電流遮断回路５５を介してバッテリ２６の正極に接続し、２番端子Ｃ２にバッテリ２６の負極及びコントロールブロック５６の一方を接続し、３番端子Ｃ３にコントロールブロック５６の他方を接続し、４番端子Ｃ４にサーマルブレーカ５８の一端を接続し、５番端子Ｃ５にサーミスタの一端を接続し、６番端子Ｃ６にサーマルブレーカ５８の他端及びサーミスタ５７の他端を接続したものである。
【００５４】
電源キー４１は、電気的に接続した一対のピンＰ１，Ｐ３（本図ではＰ１，Ｐ３を単に「１」、「３」と表示する）を備えたプラグであって、差込み口（中継部材）４２の１番端子Ｃ１及び３番端子Ｃ３に差込むことで、１番端子Ｃ１と３番端子Ｃ３との間をショートするプラグである。
【００５５】
充電器５１は、差込み口（中継部材）４２に接続する充電器側プラグ５２と、家庭用電源に接続する電源プラグ５３とを備える。
充電器側プラグ５２は、差込み口（中継部材）４２の１番端子Ｃ１、２番端子Ｃ２、４番端子Ｃ４、５番端子Ｃ５及び６番端子Ｃ６に、それぞれ接続するための１番ピンＲ１（本図ではＲ１を単に「１」と表示する。以下同じ）、２番ピンＲ２、４番ピンＲ４、５番ピンＲ５及び６番ピンＲ６を備えたプラグであって、バッテリ２６を充電するためのプラグである。
以上から、差込み口４２は、電源キー４１及び充電器側プラグ５２の双方をコンパチブルに抜き差し可能なコネクタであると言える。
【００５６】
また、電動芝刈機１０（図５参照）は、機体１１に充電可能なバッテリ２６を搭載し、このバッテリ２６で電動モータ２２を回転させ、この電動モータ２２を制御部２４で制御することで機体１１の走行や各種の作業を行なう電動芝刈機において、バッテリ２６と制御部２４との間に差込み口（中継部材）４２を介在させ、この差込み口４２に差込むための電源キー４１を用意し、この電源キー４１を差込み口４２に差込むことでバッテリ２６と制御部２４を接続し、電源キー４１を差込み口４２から取外すことでバッテリ２６と制御部２４を切り離すようにしたものである。
【００５７】
次に、電源キー４１、差込み口（中継部材）４２及び充電器側プラグ５２の詳細を説明する。
図１０は本発明に係る電源キー差込み口構造を採用した電動作業機の差込み口の平面図であり、図１１は本発明に係る電源キー差込み口構造を採用した電動作業機の差込み口の正面図である。
差込み口（中継部材）４２は、ハウジング４２ａと、このハウジングに設けた６個の端子Ｃ１〜Ｃ６と、これらの端子Ｃ１〜Ｃ６から延出したハーネス４２ｃと、からなる。
【００５８】
図１１に示す通りに、６個の端子Ｃ１〜Ｃ６は、図面右上から順に、１番端子Ｃ１、２番端子Ｃ２、３番端子Ｃ３、４番端子Ｃ４、５番端子Ｃ５及び６番端子Ｃ６であり、これらの１〜６番端子Ｃ１〜Ｃ６はハーネス４２ｃを介して制御部２４（図７参照）の制御基板３５に接続したものであり、詳細は図７に示した通りである。
【００５９】
図１２は本発明に係る電源キー差込み口構造を採用した電動作業機の電源キーの平面図であり、図１３は本発明に係る電源キー差込み口構造を採用した電動作業機の電源キーの正面図である。
電源キー４１は、ハウジング４１ａと、このハウジング４１ａに設けた４個のピンＰ１，Ｐ３，Ｐ４，Ｐ６と、ハウジング４１ａに形成することで蓋部材８３（図７参照）の格納部８８に嵌合させる嵌合部４１ｂと、からなる。
【００６０】
図１３に示す通りに、４個のピンＰ１，Ｐ３，Ｐ４，Ｐ６は、図面右下から順に、１番ピンＰ１、３番ピンＰ３、４番ピンＰ４、及び６番ピンＰ６であり、図１１に示す差込み口（中継部材）の２番端子Ｃ２及び５番端子Ｃ５に相当位置Ｎ２，Ｎ５は空き部分とした。
また、１番ピンＰ１及び３番ピンＰ３はハウジング４１ａの内部で繋ぐことでショートしたピンであり、４番ピンＰ４及び６番ピンＰ６はダミーのピンである。
【００６１】
図１４は本発明に係る電源キー差込み口構造を採用した電動作業機の充電器側プラグの平面図であり、図１５は本発明に係る電源キー差込み口構造を採用した電動作業機の充電器側プラグの正面図である。
充電器側プラグ５２は、ハウジング５２ａと、このハウジング５２ａに設けた５個のピンＲ１，Ｒ２，Ｒ４，Ｒ５，Ｒ６と、これらの端子ピンＲ１，Ｒ２，Ｒ４，Ｒ５，Ｒ６から延出したハーネス５２ｃと、からなる。
【００６２】
図１５に示す通りに、５個のピンＲ１，Ｒ２，Ｒ４，Ｒ５，Ｒ６は、図面右下から順に、１番ピンＲ１、２番ピンＲ２、４番ピンＲ４、５番ピンＲ５及び６番ピンＲ６であり、差込み口（中継部材）４２（図１２参照）の３番端子Ｃ３に相当位置Ｎ３は空き部分である。
【００６３】
尚、実施の形態では図４に示すように、カバー部材１７をメインカバー２７及び差込み部カバー８１から構成したが、これに限るものではなく、一体のカバー部材であってもよい。
実施の形態では図４に示すように、差込み部カバー８１に蓋部材８３を開閉自在に取付けたが、これに限るものではなく、例えば、図４に示す取付けブラケット２９に蓋部材を開閉自在に取付けるものであってもよい。
【００６４】
実施の形態では図４に示すように、差込み口カバー８１をねじ止め若しくはファスナ止めにより、取付けブラケット２９側に固定するように説明したが、これに限るものではなく、例えば、差込み口カバーに係止爪を形成し、取付けブラケット若しくはメインカバー側に係止孔を形成し、差込み口カバーをワンタッチで止めるようにしてもよい。
【００６５】
【発明の効果】
本発明は上記構成により次の効果を発揮する。
請求項１では、差込み口に、カバー部材に開閉自在に取付けた蓋部材を備えたので、電源キーを取去ったときに差込み口を蓋部材で覆うことができる。この結果、差込み口にゴミやほこりの侵入を防止することができ、電動作業機を良好な状態で保管することができる。
【００６６】
請求項２では、蓋部材に、電源キーを保持若しくは格納できる格納部を備えたので、電動作業機の保管時に電源キーの保管場所を忘れたり、電源キーを誤って紛失することの防止を図ることができる。
【図面の簡単な説明】
【図１】本発明に係る電源キー差込み口構造を採用した電動作業機の斜視図
【図２】図１の２矢視図
【図３】図１の３矢視図
【図４】本発明に係る電源キー差込み口構造を採用した電動作業機の分解斜視図
【図５】図１の５−５線断面図
【図６】図１の６−６線断面図
【図７】本発明に係る電動作業機の電源キー差込み口構造の正面断面図
【図８】本発明に係る電動作業機の電源キー差込み口構造の作用説明図
【図９】本発明に係る電源キー差込み口構造を採用した電動作業機の制御システム図
【図１０】本発明に係る電源キー差込み口構造を採用した電動作業機の差込み口の平面図
【図１１】本発明に係る電源キー差込み口構造を採用した電動作業機の差込み口の正面図
【図１２】本発明に係る電源キー差込み口構造を採用した電動作業機の電源キーの平面図
【図１３】本発明に係る電源キー差込み口構造を採用した電動作業機の電源キーの正面図
【図１４】本発明に係る電源キー差込み口構造を採用した電動作業機の充電器側プラグの平面図
【図１５】本発明に係る電源キー差込み口構造を採用した電動作業機の充電器側プラグの正面図
【図１６】特許文献１の第３図の再掲図
【符号の説明】
１０…電動作業機（電動芝刈機）、１１…機体、１７…カバー部材、２４…制御部、２６…バッテリ、４１…電源キー、４２…差込み口、８３…蓋部材、８８…格納部。
【図１】
2004357573.tif 000003
【図２】
2004357573.tif 000004
【図３】
2004357573.tif 000005
【図４】
2004357573.tif 000006
【図５】
2004357573.tif 000007
【図６】
2004357573.tif 000008
【図７】
2004357573.tif 000009
【図８】
2004357573.tif 000010
【図９】
2004357573.tif 000011
【図１０】
2004357573.tif 000012
【図１１】
2004357573.tif 000013
【図１２】
2004357573.tif 000014
【図１３】
2004357573.tif 000015
【図１４】
2004357573.tif 000016
【図１５】
2004357573.tif 000017
【図１６】
2004357573.tif 000018